(57)【要約】【課題】近年の薄型ディスプレイの大型化にともない、薄型ディスプレイ載置台の後方転倒の可能性が高くなってきた。【解決手段】かかる課題を解決するために本発明は、上記問題点を解決するために、薄型ディスプレイなどの対象物を前後区別して載置するための載置部と、載置部を支持しキャスターなどの脚部を介して床面に接する台座と、載置される対象物背面側の台座からせり出すように配置される棚であって、少なくとも台座から最も遠い部分の床面対向部は台座底面より低い場所に位置するように構成されている棚と、を有する薄型ディスプレイ載置台を提供する。【選択図】図１
2008124708.tif 000002
【特許請求の範囲】
【請求項１】
薄型ディスプレイなどの対象物を前後区別して載置するための載置部と、
載置部を支持しキャスターなどの脚部を介して床面に接する台座と、
載置される対象物背面側の台座からせり出すように配置される棚であって、少なくとも台座から最も遠い部分の床面対向部は台座底面より低い場所に位置するように構成されている棚と、
を有する薄型ディスプレイ載置台。
【請求項２】
前記棚は台座に対して収納引出自在である請求項１に記載の薄型ディスプレイ載置台。
【請求項３】
前記棚は複数の小棚からなり、いずれか一を選択して収納引出自在である請求項１に記載の薄型ディスプレイ載置台。
【請求項４】
前記棚は複数種類あり、それぞれが台座に対して着脱自在である請求項１から３のいずれか一に記載の薄型ディスプレイ載置台。
【請求項５】
前記棚の前記台座からみた棚の奥側平面形状は略直角形状である請求項１から４のいずれか一に記載の薄型ディスプレイ載置台。
【発明の詳細な説明】
【技術分野】
【０００１】
本発明は、液晶テレビ等の薄型ディスプレイなどを載置した状態での後方への転倒角を改善する薄型ディスプレイ載置台に関する。
【背景技術】
【０００２】
近年、液晶テレビ等の薄型ディスプレイパネルを用いた表示装置は、ディスプレイパネル製造技術の進化、さらに、デジタル放送視聴地域の拡大に伴う高画質の放送コンテンツを大画面で視聴したいというユーザの要望により大型化が進んでいる。また大型化にともなって薄型ディスプレイの重量も増加している。一方、このような大型ディスプレイを載置する載置台では、前述したように大型化し重量の増加した薄型ディスプレイが載置台天板上に置かれる。このため、薄型ディスプレイと載置台の両方を合わせた重心位置は高くなり転倒の可能性が高くなる。よって、薄型ディスプレイを載置台に載置した状態における予期せぬ子供や高齢者などのユーザによる衝突、地震等の予期せぬ振動、さらに載置台の移動等の時においても簡単に転倒しないようにすることが重要になってきた。
【０００３】
ここで、載置台上にあるディスプレイが振動等により転倒しないように、載置台（スタンド）とディスプレイ（テレビジョン）とを後部で固定する発明が特許文献１に開示されている。
【特許文献１】特開平９−３７１９１
【発明の開示】
【発明が解決しようとする課題】
【０００４】
ここで、大型化した薄型ディスプレイの特徴から、室内の壁際やコーナー部だけでなく、窓際にも設置して視聴される場合が多い。また、ディスプレイを載置台に載置する場合、通常載置台天板の手前や真中ではなく奥側に設置するのが普通である。よって、薄型ディスプレイと載置台との両方を合わせた重心も奥側に位置することになる。また、載置台のリビング等への配置の際や、掃除やメンテナンス等により載置台を移動させる際に載置台底面部にキャスター等が必要である。このため、前述したように、薄型ディスプレイの配置場所により重心が後方に存在することから、薄型ディスプレイ載置台は、そのキャスターを支点として後方に転倒しやすくなる。そして、転倒したディスプレイによる壁や窓の破損、さらには、その転倒によりユーザ自身が怪我をする可能性がある。よって、以上のことから、ユーザの衝突、載置台の移動時、地震等の予期せぬ振動による転倒の危険性を考慮すると、載置台後方の転倒角を改善しなければならない。ここで転倒角とは、傾斜試験等で用いられる安定性を表す指標で、ある物を傾けたとき、その物が転倒する角度である。よって、この数値が大きいほど転倒する可能性が少なくなる。
【０００５】
ここで、従来の載置台の概念の側面図を図１５（ａ）に示す。このように、設置台後方には転倒防止用の構造は特に用意されていないか、もしくは、転倒防止用の構造を持っているとしても図１５（ｂ）のようにケーブル収納金具（１５０３）のような棚を傾きストッパーとしても利用している程度であった。
【０００６】
しかし、前述したように薄型ディスプレイは大型化がますます進んでおり、近年では１００インチを超える大型の薄型ディスプレイも市販されてきた。しかるに、図１５（ｂ）のケーブル収納金具などを傾きストッパーとして利用した場合であっても、後方への転倒角度を一定の水準に抑えるためにはディスプレイの大きさも制限（例えば３２型程度まで）が必要であった。
【課題を解決するための手段】
【０００７】
そこで、上記問題点を解決するために、本件発明では、薄型ディスプレイなどの対象物を前後区別して載置するための載置部と、載置部を支持しキャスターなどの脚部を介して床面に接する台座と、載置される対象物背面側の台座からせり出すように配置される棚であって、少なくとも台座から最も遠い部分の床面対向部は台座底面より低い場所に位置するように構成されている棚と、を有する薄型ディスプレイ載置台を提供する。また、前記棚は台座に対して収納引出自在である薄型ディスプレイ載置台を提供する。また、前記棚は複数の小棚からなり、いずれか一を選択して収納引出自在である薄型ディスプレイ載置台を提供する。また、前記棚は複数種類あり、それぞれが台座に対して着脱自在である薄型ディスプレイ載置台を提供する。また、前記棚の前記台座からみた棚の奥側平面形状は略直角形状である薄型ディスプレイ載置台を提供する。
【発明の効果】
【０００８】
以上のような構成をとる本発明によって、液晶テレビ等の大型の薄型ディスプレイを載置台に設置した場合、その載置台の後方への転倒角を改善することができる。
【発明を実施するための最良の形態】
【０００９】
以下に、各発明の実施の形態を説明する。なお、本発明はこれら実施の形態に何ら限定されるものではなく、その要旨を逸脱しない範囲において、種々なる態様で実施しうる。
【００１０】
なお、以下の実施形態と請求項の関係は次の通りである。実施形態１は、主に請求項１などについて説明する。また、実施形態２は、主に請求項２などについて説明する。また、実施形態３は、主に請求項３などについて説明する。また、実施形態４は、主に請求項４などについて説明する。また、実施形態５は、主に請求項５などについて説明する。
【００１１】
<<実施形態１>>
<実施形態１の概要>
本実施形態の載置台は、図１（ａ）に示すように、例えば大型の薄型ディスプレイを備えたテレビ等（０１１０）を設置でき、（ｂ）に示すような、載置台後方に配置されているケーブル等を収納する棚（０１０３）が床面側に脚部（台座から最も遠い部分の床面対向部）（０１３０）を有し、後方への転倒を防ぐように構成されている。
【００１２】
<実施形態１の構成>
図２に本実施形態の載置台の構成の一例の側面図を示す。この側面図は図１の載置台を矢印Ｘ側から見た図である。本実施形態の載置台（０２００）は、載置部（０２０１）と、台座（０２０２）と、棚（０２０３）と、からなる。
【００１３】
「載置部」（０２０１）は、薄型ディスプレイ（０２１０）などの対象物を前後区別して載置するよう構成されている。ここで、「前後区別して載置する」とは、例えば、この載置部に載置される薄型ディスプレイには前面、後面の区別があるためその向きを考慮して載置することである。つまり、薄型ディスプレイなどの対象物の載置状態としては図２に示すように、薄型ディスプレイの前面（Ａ）と後面（Ｂ）が図のように載置される。また、載置部の例としては、図２の０２０１のように、通常のテレビ台が持つような天板であってもよい。また、例えば載置部の別の例としては、図３に示すように薄型ディスプレイ（０３１０）が背面に壁掛け用の設置機構（０３１２）を持つ場合、その設置機構が取り付けられるような構成（０３１３）であってもよい。
【００１４】
「台座」（０２０２）は、載置部を支持しキャスター（０２１１）などの脚部を介して床面に接するよう構成されている。ここで、脚部は図４（ａ）の側面図に示すような、台座に埋め込まれたキャスターであってもよく、（ｂ）に示すような、多方向に移動可能なキャスターであってもよい。また、（ｃ）に示すような略円柱状や（ｄ）に示すようなアジャスター機能が付加したものであってもよい。また、脚部の材質はゴムやプラスチック、金属等であってもよい。
【００１５】
「棚」（０２０３）は、載置される対象物背面側の台座からせり出すように配置されており、少なくとも台座から最も遠い部分の床面対向部は台座底面より低い場所に位置するように構成されている。ここで、図２の破線部を拡大したものを図５に示す。この図５の側面図を用いて具体的に説明する。この図に示すように、台座（０５０１）の後方には棚（０５０２）が配置されている。そして、「台座から最も遠い部分の床面対向部」（０５３０）は破線で示すように、棚の台座から最も遠い部分が台座の底面（０５２０）に対して下側に突出している。また、図６に示すように、この台座から最も遠い部分の床面対向部の形状は（ａ）や（ｂ）のように棚と一体化したものであってもよい。このとき、棚が金属製の場合は製造段階において曲げ型などの変更のみで所望の形状が形成できる利点がある。またさらに、この台座から最も遠い部分の床面対向部は（ｃ）のような略円柱状などでもよく、材質はゴムやプラスチックなどであってもよい。また、（ｄ）のようにこの床面対抗部がアジャスター機能を持ってもよい。またここで、棚はディスプレイやビデオ等の背面に接続されるケーブル類を収納するために用いてもよい。
ここで以下に後方転倒の際の当たり点となる前記台座から最も遠い部分の床面対向部が台座に対し最も遠い部分であることの理由を説明する。従来技術でも説明したように、薄型ディスプレイと載置台が傾いた場合の後方転倒に対する支点は台座にあるキャスターなどの脚部である。よって、この支点からできるだけ遠い距離に、後方転倒の際の当たり点となる前記台座から最も遠い部分の床面対向部が存在すればよい。しかし、薄型ディスプレイを載置する載置台の後方はユーザにとってできるだけ狭い方がよい。なぜなら、折角ディスプレイが薄型化したものの、ディスプレイを載置した載置台の後方のスペースが増加したのでは、ディスプレイ薄型化の意味がなくなってしまうからである。このため、本発明では後方転倒の危険性を改善するため、載置台後方の棚の台座から最も遠い部分の床面対向部を利用しているが、前述した趣旨を考慮すると、載置台後方に伸びる棚の長さは可能な限り短くし、そして、その棚の台座から最も遠い部分の床面対向部が、後方転倒時の当たり点となる必要がある。以上により、本実施形態の棚が有する前述した後方転倒時の当たり点となる床面対向部が台座に対し最も遠い部分である必要性が理解できる。
【００１６】
<実施形態１の効果>
このような実施形態により、本発明の薄型ディスプレイ載置台は、例えはケーブル等の収納棚の一部を床面に伸ばした形状を持つことにより、後方転倒の当たり点を改善することで後方への転倒角を大きくすることができる。
【００１７】
<<実施形態２>>
<実施形態２の概要>
本実施形態は、実施形態１を基本として、前記棚を収納可能とし、その棚の引き出しが自由に行えることを特徴とする薄型ディスプレイ載置台である。
【００１８】
<実施形態２の構成>
本実施形態の薄型ディスプレイ載置台は、前記棚が台座に対して収納引出自在であるように構成されている。
【００１９】
図７に本実施形態における薄型ディスプレイ載置台の構成（後方部のみ）の側面図の一例を示し、同時に収納状態の例も示す。この図に示すように、前記棚（０７０２）が台座（０７０３）に対して完全に収納されている状態（Ａ）、大きく引き出されている状態（Ｃ）、その中間の状態（Ｂ）のようにユーザが棚の引き出しを自由に行うことができる。また、この図では３パターンの引き出し距離を示したが、引き出し距離は任意に決定できるようにしてもよい。また、図７では、棚が台座内部に収納可能である例を示したが、台座の下部に棚がスライドするような機構を有することで、棚の引き出しを可能にしてもよい。
<実施形態２の効果>
このように本実施形態の薄型ディスプレイ載置台が、引き出し自在な棚を持つことにより、薄型ディスプレイ載置台の後方転倒の当たり点をユーザが自由に選択することができる。よって、載置台の設置場所により、引き出し距離に制限がある場合、棚をその制限距離に合わせ引き出すなどの調整ができる。また、薄型ディスプレイの画面サイズがそれほど大型でなく後方転倒の危険性が少ない場合、前記棚の引き出し距離を小さくし、本実施形態の載置台のリビング等への設置可能場所の自由度を高めることができる。
【００２０】
<<実施形態３>>
<実施形態３の概要>
本実施形態は、実施形態１を基本として、前記棚を複数の小棚で構成し、その小棚の引き出しや収納が自由に行えることを特徴とする薄型ディスプレイ載置台である。
<実施形態３の構成>
本実施形態の薄型ディスプレイ載置台は、前記棚は複数の小棚からなり、いずれか一を選択して収納引出自在であるよう構成されている。
【００２１】
図８に本実施形態における薄型ディスプレイ載置台の構成（後方部のみ）の側面図の一例を示し、同時にその複数の小棚の収納状態の例を示す。まず、図８（ａ）では、収納引出自在である複数の小棚Ａ、Ｂ、Ｃが台座（０８０３）に収納されている状態である。次に、（ｂ）では、小棚Ａ、Ｂ、Ｃが重なったまま引き出されている。次に、（ｃ）では、Ａの小棚の引き出し距離が固定されたままで、小棚ＢとＣがさらに引き出されている。次に、（ｄ）では、小棚Ａ、Ｂの引き出し距離が固定されたままで、小棚Ｃが引き出されている。ここで、図８（ａ）、（ｂ）、（ｃ）、（ｄ）の状態のそれぞれの上面図を図９（ａ）、（ｂ）、（ｃ）、（ｄ）に示す。ここで補足であるが、図９の（ｃ）に示すように、小棚Ｂには、小棚Ａの持つ台座から最も遠い部分の床面対向部が小棚Ｂに遮られずに床面側に出るように空間部（０９４２）が形成されている。また、小棚Ｃも同様に小棚Ａ、Ｂの持つ台座から最も遠い部分の床面対向部が小棚Ｃに遮られずに床面側に出るように空間部（０９４３）が形成されている。ここで、図１０を用いて小棚Ｂ、Ｃのさらに詳しい説明を行う。図１０（ａ）に小棚Ｂ、（ｂ）に小棚Ｃの上面図、（ｃ）に小棚Ｂ、Ｃを重ねたときの上面図を示す。（ａ）（ｂ）（ｃ）の破線で示す部分（１０７２、１０７３）は小棚Ｂと小棚Ｃが有する前記台座から最も遠い部分の床面対向部の透過図である。図１０（ａ）に示すように、小棚Ｂ（１０６２）は小棚Ａの持つ前記台座から最も遠い部分の床面対向部が小棚Ｂに遮られずに床面側に出るように空間部（１０４２）を有している。また図１０（ｂ）に示すように、小棚Ｃ（１０６３）は小棚ＡおよびＢの持つ前記台座から最も遠い部分の床面対向部が小棚Ｃに遮られずに床面側に出るように空間部（１０４３）を有している。また、（ｃ）に示すように、小棚Ｃが空間部を持つことにより、小棚Ｂが小棚Ｃの上方へ重ねることができる。さらに、ここでは、図示していないが、小棚Ａも同様にして小棚Ｂの上方に重ねることができる。またここで、図８、図９では、順番に小棚を引き出した状態を示したが、小棚Ａ、Ｂを引き出さず、小棚Ｃのみを引き出すこともなども可能で、上述した引き出し方以外のやり方で小棚を引き出してもよい。このようにして本実施形態の薄型ディスプレイ載置台は、ユーザが任意で複数の小棚の引き出し方を選ぶことができる。
【００２２】
<実施形態３の効果>
このように本実施形態の薄型ディスプレイ載置台が、前記棚を複数の小棚で構成し、その小棚の引き出しや収納が自由に行えることで、実施形態２の効果を得られるのに加え、棚が複数一体化構造になることから、後方転倒に備え棚の強度を上げることができる。
【００２３】
<<実施形態４>>
<実施形態４の概要>
本実施形態は、実施形態１や実施形態３を基本として、前記棚を複数種類用意し、その棚が着脱可能であることを特徴とする薄型ディスプレイ載置台である。
【００２４】
<実施形態４の構成>
本実施形態の薄型ディスプレイ載置台は、前記棚は複数種類あり、それぞれが台座に対して着脱自在であるよう構成されている。
【００２５】
図１１に本実施形態における薄型ディスプレイ載置台の構成（後方部のみ）の側面図の一例を示す。この図に示すように、本実施形態の載置台は、例えば大きさ（図では側面図なので引き出し距離のみ記載）の異なる棚（１１５１、１１５２、１１５３）を用意し、それぞれを着脱可能にし、ユーザの好みに応じて交換が可能である。また、図１２（ａ）、（ｂ）、（ｃ）の上面図に示すように、この着脱可能な棚の形状が異なるよう複数用意してもよい。また、実施形態３において説明したような、収納引き出し自在な複数の小棚が、台座から着脱可能であってもよい。
【００２６】
<実施形態４の効果>
このように本実施形態の薄型ディスプレイ載置台が、大きさや形状が異なる棚を着脱可能にすることで、実施形態１などの効果を得つつ、ユーザの好みに応じて棚の大きさや形状をユーザが選択できる。
【００２７】
<<実施形態５>>
<実施形態５の概要>
本実施形態は、実施形態１を基本として、前記棚の奥側の形状を略直角形状にすることを特徴とする薄型ディスプレイ載置台である。
【００２８】
<実施形態５の構成>
本実施形態の薄型ディスプレイ載置台は、前記棚の前記台座からみた棚の奥側平面形状は略直角形状であるように構成されている。
【００２９】
図１３に本実施形態における薄型ディスプレイ載置台の構成（後方部のみ）の上面図の一例を示す。図１３に示すように、棚（１３０３）の後方が略直角形状になっていることで、リビング等の壁のコーナーに載置台を設置する場合、棚の形状を効率よく利用できる。つまり、載置台の棚の後方が略直角形状になっていない場合は、図１４に示すように壁のコーナー部分に当たり、本発明の目的である、後方への転倒角（後方転倒の当たり点）の改善が難しい。しかし、図１３に示す本実施形態の載置台ではコーナーのデッドゾーンの形状を効率よく利用することができ、棚の有する前記台座から最も遠い部分の床面対向部（１３３０）（透視図のため破線で示す）の位置を、図１４の載置台と比較して、１３３１の長さ分だけ載置台の後方へ伸ばすことができ、本実施形態の載置台の後方への転倒角（後方転倒の当たり点）を改善できる。
【００３０】
<実施形態５の効果>
このように本実施形態の薄型ディスプレイ載置台が、前記棚の奥側の形状を略直角形状にすることで、壁コーナーの形状を効率よく利用し、後方への転倒角を改善することができる。
【図面の簡単な説明】
【００３１】
【図１】実施形態１の載置台の概念図の一例
【図２】実施形態１の載置台の構成の側面図の一例
【図３】実施形態１の載置台の載置部の別の例
【図４】実施携帯１の載置台の脚部の例
【図５】実施形態１の載置台の棚の側面図の一例
【図６】実施形態１の載置台の棚の台座から最も遠い部分の床面対向部の側面図の一例
【図７】実施形態２の載置台の構成の側面図の一例
【図８】実施形態３の載置台の構成の側面図の一例
【図９】実施形態３の載置台の構成の上面図の一例
【図１０】実施形態３の載置台の小棚の上面図の一例
【図１１】実施形態４の載置台の棚の側面図の一例
【図１２】実施形態４の載置台の棚の別の例
【図１３】実施形態５の載置台の構成の上面図の一例
【図１４】載置台の棚が略直角形状でない場合の上面図の例
【図１５】従来の載置台の概念の側面図の一例
【符号の説明】
【００３２】
０１０１    載置部
０１０２    台座
０１０３    棚
０１３０    台座から最も遠い部分の床面対向部
【図１】
2008124708.tif 000003
【図２】
2008124708.tif 000004
【図３】
2008124708.tif 000005
【図４】
2008124708.tif 000006
【図５】
2008124708.tif 000007
【図６】
2008124708.tif 000008
【図７】
2008124708.tif 000009
【図８】
2008124708.tif 000010
【図９】
2008124708.tif 000011
【図１０】
2008124708.tif 000012
【図１１】
2008124708.tif 000013
【図１２】
2008124708.tif 000014
【図１３】
2008124708.tif 000015
【図１４】
2008124708.tif 000016
【図１５】
2008124708.tif 000017